(57)【特許請求の範囲】
【請求項１】
ＲＦＩＤタグを構成し電流が通過しうる部位の少なくとも一部を複数のピースに分割してあり、
分割された前記ピースは、基材と、前記基材から脱離可能であるカバーとによって囲まれていることで前記部位として必要な形態を保持されており、
前記カバーを脱離させると前記部位の少なくとも一部が前記複数のピースに分離されるＲＦＩＤタグ。
【請求項２】
上記複数のピースが、１０ピース以上である請求項１に記載のＲＦＩＤタグ。
【請求項３】
前記複数のピースが、個々が不規則な形状である請求項１または２に記載のＲＦＩＤタグ。
【請求項４】
前記複数のピースが、個々が規則的な形状である請求項１または２に記載のＲＦＩＤタグ。
【発明の詳細な説明】
【技術分野】
【０００１】
この発明は、不正な再利用をできなくするＲＦＩＤタグに関する。
【背景技術】
【０００２】
現在、ＲＦＩＤ（radio frequency identifier）タグが様々な物品の管理に用いられている。多数の物品を管理するにあたっては、ＲＦＩＤタグを含んだラベルを対象となる物品に貼りつけることが一般的に行われている。貼りつけられたＲＦＩＤタグには、商品の識別情報や値段など、多くの情報が記録されている。ＲＦＩＤタグを非接触で読み取れば、対象となる物品について人の目で確認することなく、ＲＦＩＤタグに記録された識別情報に対応するものとして処理されるシステムも多い。このため、一の物品に貼りつけられたＲＦＩＤタグを、他の物品に貼りつけて再利用できると、システムを欺いて不正な利用が可能になってしまう。単純なＲＦＩＤタグではこのような不正利用が可能である場合も多い。
【０００３】
これに対して、一旦剥がすと破壊されるＲＦＩＤタグが様々に検討されている。例えば図７及び図８に示すようなＲＦＩＤタグが提案されている。ＲＦＩＤタグ２を、取り付けるべき対象物１に取り付けた断面図を図７（ａ）に、平面図を図７（ｂ）に示す。ＲＦＩＤタグ２はメモリなどを含む半導体チップ５と、外部からの磁気に応じて電流を発生させる回路となるアンテナ６とを有する。ＲＦＩＤタグ２の全体はカバー３で覆われている。ただし、半導体チップ５の対象物１側の一部のみに接着剤層４が形成されている。すなわち、半導体チップ５の対象物１側の面の一部だけが強固に対象物１と接着されており、残りの部位は対象物１からわずかに浮いた状態となっている。半導体チップ５の上にはアンテナ６が配されており、半導体チップ５の周囲に伸びている。このＲＦＩＤタグ２のカバー３を取り外し、ＲＦＩＤタグ２を再利用すべく対象物１から取り外そうとすると、接着剤層４によって強固に接着された部分とそうでない部分との境界に応力が集中する（図８）。これにより、破断点Ｐで半導体チップ５やアンテナ６が破壊され、ＲＦＩＤタグ２として動作しなくなる。
【０００４】
また、図９（ａ）の分解構成図に示すようなＲＦＩＤタグ２ａも提案されている。ＲＦＩＤタグ２ａは、台座層７ａとカバー層７ｂとの間に、半導体チップ部８ａとアンテナ部８ｂとを格納する。台座層７ａは接着剤層４ａにより全体が強固に対象物１に固定される。半導体チップ部８ａが接着剤層４ｂにより台座層７ａに固定される。一方、アンテナ部８ｂは接着剤層４ｃによりカバー層７ｂに固定される。半導体チップ部８ａとアンテナ部８ｂとは、取り付け時には一体となっている。だが、カバー層７ｂを外そうとすると、カバー層７ｂに強固に固定されたアンテナ部８ｂのみがカバー層７ｂとともに剥がれるが、半導体チップ部８ａは台座層７ａに強固に固定されているため、半導体チップ部８ａとアンテナ部８ｂとの間の境界線で回路が破断される（図９（ｂ））。これにより、ＲＦＩＤ２ａは動作しなくなる。
【０００５】
さらに、特許文献１には大電流によってアンテナコイルの一部を断線させることで再利用不可能にさせるＲＦＩＤタグが提案されている。
【先行技術文献】
【特許文献】
【０００６】
【特許文献１】特開2010-211646号公報
【発明の概要】
【発明が解決しようとする課題】
【０００７】
ところが、これらのＲＦＩＤタグは破壊、あるいは分断される箇所が一か所に集中している。このため、破断された線に沿って二つの部品を精確に接合したり、破断した点の回路を接合したりすると、破壊したはずのＲＦＩＤタグを再利用できてしまう可能性が残っていた。
【０００８】
そこでこの発明は、一旦剥がすと再利用が不可能になるまで破壊されるＲＦＩＤタグを提供し、不正利用をより強固に防止することを目的とする。
【課題を解決するための手段】
【０００９】
この発明は、
ＲＦＩＤタグを構成し電流が通過しうる部位の少なくとも一部を複数のピースに分割してあり、
分割された前記ピースは、基材と、前記基材から脱離可能であるカバーとによって囲まれていることで前記部位として必要な形態を保持されており、
前記カバーを脱離させると前記部位の少なくとも一部が前記複数のピースに分離されるＲＦＩＤタグにより上記の課題を解決した。
【００１０】
すなわち、個々のピースは、粘着剤や接着剤、あるいは穴を空けて固定具で留めるなどといった固定手段を設けるのではなく、基材とカバーとに囲まれた格納すべきスペースである格納部に格納されているだけで、前記カバーを外せば必要な形態を保持できなくなり分割された個々のピースに分離される。当該部位が複数のピースに分かれると、それら個々のピースの境界線をすべて元通りに接合しなおして固定しようとするには膨大な作業の手間がかかるため、不正な再利用をすることが困難になる。
【００１１】
上記複数のピースとは、具体的には１０ピース以上であると好ましく、基本的には多いほど好ましい。ピースが多数に分かれているほど、不正な再利用がしにくくなる。また、少なくとも１つのピースの最短幅は１ｍｍ以下であると好ましい。大きなピースのままだと復旧されやすいため、できるだけ細かくピースが区切られていることが望ましい。
【００１２】
前記部位を個々のピースに分割する形状としては、個々のピースを不規則な形状で分割されていてもよいし、短冊状や格子状のように規則的な形状で分割されていてもよい。
【発明の効果】
【００１３】
この発明により、一旦カバーをはがしたＲＦＩＤタグは、ＲＦＩＤの機能を発揮させるために必要となる電流が通過しうる部位が、再利用が事実上不可能となるまで分割されるので、これらを補修して不正な再利用される事態を的確に防止できる。
【図面の簡単な説明】
【００１４】
【図１】（ａ）この発明の第一の実施形態にかかるＲＦＩＤタグの断面図、（ｂ）（ａ）の平面図
【図２】（ａ）この発明の第二の実施形態にかかるＲＦＩＤタグの断面図、（ｂ）（ａ）の平面図
【図３】この発明の第三の実施形態にかかるＲＦＩＤタグの断面図
【図４】この発明の第四の実施形態にかかるＲＦＩＤタグの断面図
【図５】（ａ）第一の実施形態にかかるＲＦＩＤタグのカバーを外した断面図、（ｂ）（ａ）のばらした後の概念図
【図６】（ａ）第二の実施形態にかかるＲＦＩＤタグのカバーを外した断面図、（ｂ）（ａ）のばらした後の概念図
【図７】（ａ）従来の破壊可能なＲＦＩＤタグの例の断面図、（ｂ）（ａ）の平面図
【図８】図７のＲＦＩＤタグを破壊した際の図
【図９】（ａ）従来の別の破壊可能なＲＦＩＤタグの例の分解構成図、（ｂ）（ａ）を破壊した際の断面図
【発明を実施するための形態】
【００１５】
以下、この発明について具体的な実施形態とともに詳細に説明する。この発明は、不正な再利用が困難であるように一部の部位が分割されたＲＦＩＤタグである。
【００１６】
この発明の第一の実施形態にかかるＲＦＩＤタグ１１を図１に示す。図１（ａ）に断面図を、図１（ｂ）に平面図を示す。
【００１７】
ＲＦＩＤタグ１１は、少なくともデータが記録された半導体チップ１６と、電波を受信して電流を流す無線通信用のアンテナ１５とを有する。電波を発するリーダライタ（図示せず）からの電波により、半導体チップ１６に記録されたデータを読み込むことが可能である。データは固有の識別符号でもよいし、分類のための符号でもよいし、その他書き換え可能な情報であってもよく、特に限定されない。上記の無線の周波数や規格は特に限定されない。以下の説明ではＲＦＩＤタグ１１として非接触型のタグを例として説明するが、接触型のタグであっても本発明は実施可能である。
【００１８】
半導体チップ１６に繋がるアンテナ１５は、半導体チップ１６の周囲に回路を構成している。アンテナ１５の配線の形状は特に限定されない。図では半導体チップ１６の周囲全体がアンテナ１５で占められている形態を例として挙げているが、周囲の一部だけがアンテナ１５であってもよい。また、図では、半導体チップ１６とアンテナ１５の高さを揃えているが、アンテナ１５の上に半導体チップ１６が乗った形態でもよい。
【００１９】
この発明にかかるＲＦＩＤタグ１１は、アンテナ１５の少なくとも一部が、複数のピース１５ａ（１５ｂ）に分割されている。分割されている部分が全体に占める割合は多い方がよく、アンテナ１５の全部が分割されていると最も好ましい。この実施形態では、個々のピース１５ａはパズルのように独自の形状をしており、それらが正確に配置されながら保持されることで、アンテナ１５を構成している。なお、ここではアンテナ１５の金属配線部分を分割した実施形態を示しているが、基板となる樹脂板の上に金属配線部分を有しており、樹脂板ごと金属配線を分割してピース１５ａとする形態であってもよい。
【００２０】
上記のアンテナ１５を分割した複数のピース１５ａは、より多くの個数のピース１５ａに分割されていることが好ましい。好ましくは１０個以上のピース１５ａに分かれているとよく、２０個以上のピース１５ａに分かれているとより好ましい。ピース１５ａの分割された個数が多いほど、破壊された後に修復して不正使用することが困難になる。一方、分割の数が多い分には特に限定されない。ただし、あまりに細かいと正確に配置した状態で保持することが難しくなる。
【００２１】
個々のピース１５ａは、細かいほど好ましい。ピース１５ａが大きいと集めて再構築しやすくなるためである。具体的には、最小幅が１ｍｍ以下であると好ましい。一方、最大幅は特に限定されない。ピース１５ａの最小幅が十分に小さければ、最大幅が大きくても再構築は困難である。もちろん、最大幅も小さいほど好ましい。
【００２２】
また、個々のピース１５ａの形状は特に限定されない。図１では曲線によって分割されており、個々のピースの形状が不規則な実施形態を示している。いわゆるパズルのような形状である。曲線ではなく直線で分割されていてもよい。ただし、再構築を困難にしようとするならば、個々のピースの形状は短冊状や格子状のような規則的な形状で、なおかつ個々のピースが区別できない方が望ましい。すなわち、パズルとして見たときに、組み立てようとする難度が高いほど望ましい。アンテナ１５を格子状のピース１５ｂに分割した第二の実施形態であるＲＦＩＤタグ１１ａを図２に示す。このように個々のピース１５ｂが判別できないと、事実上再度組み立てることはほぼ不可能になる。
【００２３】
これらの半導体チップ１６と、その周辺に配置されたアンテナ１５を構成する個々のピース１５ａ，１５ｂは、ＲＦＩＤタグ１１，１１ａ自体に対して粘着剤や接着剤で固定されていない。ＲＦＩＤタグ１１，１１ａの外周は基材１３とカバー１２とで覆われている。基材１３の対象物１０に取り付けるべき側には接着剤層１４が設けられ、カバー１２の外周部分も接着剤層１４に対して固定されている。
【００２４】
なお、基材１３ａがカバー１２の全体と同じ大きさにまで広がっていてもよい。すなわち、接着剤層１４は、基材１３ａの対象物１０側の全範囲を覆うように形成されている。このＲＦＩＤタグ１１ｂの第三の実施形態の断面図を図３に示す。この場合、基材１３ａの周辺部にはカバー１２ａと接着させておくための接着剤層１８が設けられている。
【００２５】
図示しないが、ＲＦＩＤタグ１１を対象物１０に取り付けるまでは、接着剤層１４の対象物１０に取り付けるべき側の面は剥離紙で覆っておく。対象物１０に取り付ける際に、上記剥離紙を接着剤層１４からはがして、接着剤層１４側から対象物１０の表面に貼り付けることで、ＲＦＩＤタグ１１は対象物１０に対して固定される。
【００２６】
基材１３及びカバー１２の構成としては、紙や樹脂フィルム、またはそれらを合わせたシートなどの電波を透過する素材を適宜採用することができる。これらは接着剤層１４の他はいずれも粘着剤や接着剤を表面に露出させておらず、半導体チップ１６及びピース１５ａ，１５ｂとの間で強固に接着されてはいない。
【００２７】
カバー１２には外側（取り付け時に露出する側をいう）に向けて凹んだ格納部１７が形成されている。アンテナ１５は、基材１３とカバー１２とによって囲まれた格納部１７に格納されることで、ピース１５ａがまとまって形態を保持している。ただし、個々のピース１５ａはカバー１２に対しても基材１３に対しても、粘着剤や接着剤で固定されているわけではない。また、釘やピンのような部品でカバー１２や基材１３に固定されているわけでもない。格納部１７はピース１５ａを揃えてアンテナ１５として動作する配置に保持できる形状となっている。図１及び図２に示す実施形態では、格納部１７は平べったい直方体状の内部空間を構成している。ただし、本願発明としては格納部１７の形状は直方体状に限るものではなく、ピース１５ａが格納部１７内部で変形したり位置がずれたりすることがないように、精密に保持できるものであればよい。
【００２８】
また、他の実施形態として、アンテナ１５は基材１３ｂとカバー１２ｂとによって囲まれているが、カバー１２ｂではなく、基材１３ｂ側に格納部１９が設けられていてもよい。このＲＦＩＤタグ１１ｃの第四の実施形態の断面図を図４に示す。この格納部１９は、基材１３ｂの対象物１０側が凹んで形成されている。基材１３ｂの対象物１０側が接着剤層１４で覆われている。一方、基材１３ｂの外周部分には、接着剤層１８ａが設けられている。この接着剤層１８ａが基材１３ｂにカバー１２ｂを固定することで、ピース１５ａ，１５ｂを格納部１９に収容したまま保持している。
【００２９】
これらのピース１５ａ，１５ｂはカバー１２，カバー１２ａ，カバー１２ｂによって保持されているだけである。このため、ＲＦＩＤタグ１１，１１ａ，１１ｂ，１１ｃを取り外そうとしてカバー１２，１２ａ，１２ｂの一辺が接着剤層１４，１８，１８ａからはがれると、ピース１５ａ，１５ｂは格納部１７、１９から解放される。第一及び第二の実施形態における開放状態を図５（ａ）、図６（ａ）にそれぞれ示す。これに力をかけたり傾けたりするだけで、ピース１５ａ，１５ｂはばらばらになって落下する。第一及び第二の実施形態における落下状態を図５（ｂ）、図６（ｂ）にそれぞれ示す。このようになると並べなおして修復することはほぼ不可能になるので、不正な再利用をされることはない。第三、第四の実施形態ではカバー１２ａ，１２ｂの剥がし方が異なるものの、同様の結果が得られる。
【００３０】
なお、カバー１２，１２ａ，１２ｂだけが外れるようにするため、接着剤層１４，１８，１８ａは取り付ける対象物１０の表面の性状に合わせて、強固に接着する素材を選択するとよい。
【符号の説明】
【００３１】
１  対象物
２，２ａ  ＲＦＩＤタグ
３  カバー
４，４ａ，４ｂ，４ｃ  接着剤層
５  半導体チップ
６  アンテナ
７ａ  台座層
７ｂ  カバー層
８ａ  半導体チップ部
８ｂ  アンテナ部
１０  対象物
１１，１１ａ、１１ｂ，１１ｃ  ＲＦＩＤタグ
１２，１２ａ，１２ｂ  カバー
１３，１３ａ、１３ｂ  基材
１４，１８，１８ａ  接着剤層
１５  アンテナ
１５ａ，１５ｂ  ピース
１６  半導体チップ
１７、１９  格納部
Ｐ  破断点
【要約】
【課題】一旦剥がすと再利用が不可能になるまで破壊されるＲＦＩＤタグを提供し、不正利用をより強固に防止する。
【解決手段】ＲＦＩＤタグ１１を構成し電流が通過しうるアンテナ１５の少なくとも一部を複数のピース１５ａに分割してあり、分割されたピース１５ａは、基材１３と、基材１３から脱離可能であるカバー１２とによって囲まれていることで前記アンテナとして必要な形態を保持されたＲＦＩＤタグ１１とする。カバー１２を脱離させるとアンテナ１５の少なくとも一部が前記複数のピース１５ａに分離されて、再構築しての不正利用が不可能となる。
【選択図】図１【図１】
0006886054.tif 000002
【図２】
0006886054.tif 000003
【図３】
0006886054.tif 000004
【図４】
0006886054.tif 000005
【図５】
0006886054.tif 000006
【図６】
0006886054.tif 000007
【図７】
0006886054.tif 000008
【図８】
0006886054.tif 000009
【図９】
0006886054.tif 000010